(57)【要約】【課題】  風防内部の静電気を低減することができる電子天秤を提供する。【解決手段】  風防２０と、計量皿４０と秤量機構８０と制御部５０と入力部４１と表示部４２とを有する電子天秤本体１０とを備え、風防２０が上方から電子天秤本体１０に配置されることにより、風防２０の内部に計量皿４０が配置される電子天秤１であって、除電器６０を備え、風防２０の内部に取り付けられた除電器６０が、制御部５０によって制御されるようにする。【選択図】図２
2014178133.tif 000002
【特許請求の範囲】
【請求項１】
計量皿と秤量機構と制御部と入力部と表示部とを有する電子天秤本体と、
風防とを備え、
前記風防が上方から電子天秤本体に配置されることにより、前記風防の内部に計量皿が配置される電子天秤であって、
除電器を備え、
前記風防の内部に取り付けられた前記除電器が、前記制御部によって制御されることが可能となっており、
前記制御部は、前記入力部で感度校正を行うことが入力されると、感度校正が行われる前に前記除電器を所定時間、作動させることを特徴とする電子天秤。
【請求項２】
計量皿と秤量機構と制御部と入力部と表示部とを有する電子天秤本体と、
風防とを備え、
前記風防が上方から電子天秤本体に配置されることにより、前記風防の内部に計量皿が配置される電子天秤であって、
除電器と、
前記電子天秤本体の内部情報を検出するセンサと、
感度校正用の内蔵分銅とを備え、
前記風防の内部に取り付けられた前記除電器が、前記制御部によって制御されることが可能となっており、
前記制御部は、前記センサで検出された内部情報に基づいて、前記除電器を作動させた後、前記内蔵分銅を用いて感度校正を行うことを特徴とする電子天秤。
【請求項３】
計量皿と秤量機構と制御部と入力部と表示部とを有する電子天秤本体と、
風防とを備え、
前記風防が上方から電子天秤本体に配置されることにより、前記風防の内部に計量皿が配置される電子天秤であって、
除電器と、
時刻を計測する時計とを備え、
前記風防の内部に取り付けられた前記除電器が、前記制御部によって制御されることが可能となっており、
前記制御部は、前記入力部で除電開始予定時刻と除電終了予定時刻とが入力されると、当該除電開始予定時刻に前記除電器を作動させ、当該除電終了予定時刻に前記除電器の作動を終了させることを特徴とする電子天秤。
【請求項４】
前記風防は、上壁と当該上壁の周縁部から下方に向かって下設された側壁とを有し、当該上壁又は側壁には開口部と当該開口部を開閉可能とする開口部開閉部材とが形成されていることを特徴とする請求項１〜請求項３のいずれか１項に記載の電子天秤。
【請求項５】
前記除電器が前記風防の内部から取り外し可能となっていることを特徴とする請求項１〜請求項４のいずれか１項に記載の電子天秤。
【請求項６】
前記除電器は、電圧発生器と、
前記電圧発生器により電圧が印加されることにより、イオンを生成するイオン生成用電極とを備えることを特徴とする請求項１〜請求項５のいずれか１項に記載の電子天秤。
【請求項７】
前記イオン生成用電極は、正イオンと負イオンとを生成することを特徴とする請求項６に記載の電子天秤。
【発明の詳細な説明】
【技術分野】
【０００１】
本発明は、気流の影響を防止する風防を備える電子天秤に関し、その風防の内部の静電気を除電する電子天秤に関する。
【背景技術】
【０００２】
実験室等では、粉体等の被測定物を計量するために電子天秤が使用されている。このとき、測定者は、電子天秤の上面に形成された計量皿の載置面に、スプーン等を用いて被測定物を載置していきながら、表示された測定結果を確認することで、目的重量の被測定物を得ている。しかし、室内に設置された空調機器から吹き出される気流の影響等を受け、測定結果が安定しないことがある。
【０００３】
そこで、気流の影響を防止するための風防を備えた電子天秤が開示されている。図７は、風防を備える電子天秤の一例を示す平面図であり、図８及び図９は、図７に示す電子天秤の風防の開口部開閉部材を説明する側面図である。
電子天秤２０１は、計量皿４０と秤量機構（図示せず）と制御部（図示せず）と入力部４１と表示部４２と感度校正用の内蔵分銅（図示せず）とを有する電子天秤本体２１０と、気流の影響を防止する風防２２０と、時刻を計測するタイマ（時計、図示せず）とを備える。
【０００４】
電子天秤本体２１０は、扁平なハウジング１０ａと、ハウジング１０ａの上面の前部側に設けられた入力部４１及び表示部４２と、ハウジング１０ａの上面の中央部に設けられた計量皿４０と、ハウジング１０ａの内部に収納された秤量機構、制御部及び内蔵分銅とを備える。計量皿４０は、上方から視ると例えば直径８〜９ｃｍの円形状の載置面を有する。これにより、被測定物が載置面に載置されるようになっている。
【０００５】
風防２２０は、ガラス製の四角形の前側壁３０ａと、ガラス、金属又はプラスチック製の四角形の後側壁２３０ｂと、前側壁３０ａの四隅と後側壁２３０ｂの四隅との間で互いに平行に形成された四本のガイド柱部３０ｃとを有する枠体（側壁）３０と、ガラス製の四角形の上側開口部開閉部材２１と、ガラス製の四角形の右側開口部開閉部材２２と、ガラス製の四角形の左側開口部開閉部材２３とを有する。
４本のガイド柱部３０ｃには、上側開口部開閉部材２１と右側開口部開閉部材２２と左側開口部開閉部材２３とを前後方向にスライドさせることができる溝が形成されており、この溝に、上側開口部開閉部材２１の左右端部が挿入されることで、上側開口部開閉部材２１が前後方向に移動可能となるように枠体３０の上面に取り付けられ、右側開口部開閉部材２２の上下端部が挿入されることで、右側開口部開閉部材２２が前後方向に移動可能となるように枠体３０の右側面に取り付けられ、左側開口部開閉部材２３の上下端部が挿入されることで、左側開口部開閉部材２３が前後方向に移動可能となるように枠体３０の左側面に取り付けられる。
なお、上側開口部開閉部材２１が、枠体３０の上面に取り付けられることにより、上壁として働くことになる。
【０００６】
これにより、測定者は、上側開口部開閉部材２１を後方向にスライドさせることで、図９に示すように枠体３０の上側開口部を開けたり、図８に示すように前方向にスライドさせることで上側開口部を閉じたりすることができるようになっている。また、右側開口部開閉部材２２を後方向にスライドさせることで、図９に示すように枠体３０の右側開口部を開けたり、図８に示すように前方向にスライドさせることで右側開口部を閉じたりすることができるようになっている。さらに、左側開口部開閉部材２３を後方向にスライドさせることで、枠体３０の左側開口部を開けたり、前方向にスライドさせることで、左側開口部を閉じたりすることができるようになっている。また、モータ駆動で自動的に開閉する風防もある。
【０００７】
このような風防２２０が上方から電子天秤本体２１０に載置されることにより、風防２２０の内部に計量皿４０が配置される。そして、例えば、測定者は、右側開口部開閉部材２２を後方向にスライドさせることで、右側開口部等を開けることにより、計量皿４０の載置面の中央部にスプーン等を用いて被測定物を載置し、計量皿４０に被測定物を載置した後には、右側開口部開閉部材２２を前方向にスライドさせることで、右側開口部等を閉じることにより、表示部４２に表示された測定結果を確認する。
【０００８】
しかし、被測定物が帯電していると、被測定物と風防２２０との間に静電誘導によるクーロン力が発生し、測定結果が被測定物本来の質量に対して誤差を含んだものとなる。例えば、冬場の太平洋側地域のような低湿度の環境、或いはウイルスや細菌等の繁殖を抑える環境を維持するため、湿度が２０〜３０％以下に設定されているクリーンルーム等においては、被測定物の帯電により数十ｍｇの計量誤差が発生することがある。
よって、静電気の影響を避けるために、除電機能を用いて帯電した被測定物にイオンを吹き付けることで、静電気を中和して低減させることが実施されている（例えば、特許文献１参照）。
【先行技術文献】
【特許文献】
【０００９】
【特許文献１】特開２０１０−１９０６００号公報
【発明の概要】
【発明が解決しようとする課題】
【００１０】
しかしながら、被測定物の静電気だけでなく、風防２２０自体の静電気が問題になることがある。また、電子天秤２０１では、温度の変化等により被測定物の荷重と平衡させる電磁力（磁束密度の温度変化による影響）の変化や秤量機構のわずかな伸縮等が起こり、その結果、測定結果に誤差を生じる。このため、測定結果に誤差が生じないように、内蔵分銅を用いて感度校正を行う必要がある。よって、測定者の入力部４１の操作等により適宜に、或いは、温度センサ等の信号により自動的に感度校正が行われるようにしている。このとき、風防２２０が帯電していると、静電誘導によるクーロン力が発生し、校正内容自体に誤差が含まれるという問題点があった。
【課題を解決するための手段】
【００１１】
そこで、出願人は、電子天秤の風防内部の静電気を低減する方法について検討した。その結果、除電器（イオナイザ）を風防の内部に取り付けることを見出した。しかし、風防の内部に除電器を取り付けた場合、除電器を操作する手間と時間とが余分にかかることとなり、また、自動的に感度校正が行われるものについては除電器を操作することができず、校正内容自体が誤差を含んだものとなっていた。そこで、制御部によって自動的かつ適切な時期に除電器を作動させるようにすることを見出した。
【００１２】
すなわち、本発明の電子天秤は、計量皿と秤量機構と制御部と入力部と表示部とを有する電子天秤本体と、風防とを備え、前記風防が上方から電子天秤本体に配置されることにより、前記風防の内部に計量皿が配置される電子天秤であって、除電器を備え、前記風防の内部に取り付けられた前記除電器が、前記制御部によって制御されることが可能となっており、前記制御部は、前記入力部で感度校正を行うことが入力されると、感度校正が行われる前に前記除電器を所定時間、作動させるようにしている。
ここで、「所定時間」とは、測定者等によって予め決められた任意の時間であり、例えば、３０秒〜１０分等となる。
【発明の効果】
【００１３】
本発明の電子天秤によれば、除電器によって風防内部の静電気を低減することができる。また、制御部によって自動的に除電器を作動させることができるため、測定者は除電器を操作する手間と時間とを省くことができる。さらに、制御部によって適切な時期に除電器を作動させることができるため、正確で再現性のよい感度校正を行うことができる。
【００１４】
（他の課題を解決するための手段および効果）
また、本発明の電子天秤は、計量皿と秤量機構と制御部と入力部と表示部とを有する電子天秤本体と、風防とを備え、前記風防が上方から電子天秤本体に配置されることにより、前記風防の内部に計量皿が配置される電子天秤であって、除電器と、前記電子天秤本体の内部情報を検出するセンサと、感度校正用の内蔵分銅とを備え、前記風防の内部に取り付けられた前記除電器が、前記制御部によって制御されることが可能となっており、前記制御部は、前記センサで検出された内部情報に基づいて、前記除電器を作動させた後、前記内蔵分銅を用いて感度校正を行うようにしている。
ここで、「センサ」とは、電子天秤本体の内部情報を検出するものであり、例えば、電子天秤本体の内部の温度を検出する温度センサや、電子天秤本体の内部の湿度を検出する湿度センサや、電子天秤本体の内部の帯電状態を検出する帯電センサ等が挙げられる。
本発明の電子天秤によれば、除電器によって風防内部の静電気を低減することができる。また、制御部によって自動的に除電器を作動させることができるため、測定者は除電器を操作する手間と時間とを省くことができる。さらに、制御部によって適切な時期に除電器を作動させることができるため、正確で再現性のよい感度校正を行うことができる。
【００１５】
また、本発明の電子天秤は、計量皿と秤量機構と制御部と入力部と表示部とを有する電子天秤本体と、風防とを備え、前記風防が上方から電子天秤本体に配置されることにより、前記風防の内部に計量皿が配置される電子天秤であって、除電器と、時刻を計測する時計とを備え、前記風防の内部に取り付けられた前記除電器が、前記制御部によって制御されることが可能となっており、前記制御部は、前記入力部で除電開始予定時刻と除電終了予定時刻とが入力されると、当該除電開始予定時刻に前記除電器を作動させ、当該除電終了予定時刻に前記除電器の作動を終了させるようにしている。
本発明の電子天秤によれば、使用していないとき（例えば休憩時間等）に除電を行うことができるので、計量作業をスムーズに開始することができる。なお、除電終了予定時刻に代えて、除電器を作動させる所定時間が入力されるようにしてもよい。
【００１６】
また、上記の発明において、前記風防は、上壁と当該上壁の周縁部から下方に向かって下設された側壁とを有し、当該上壁又は側壁には開口部と当該開口部を開閉可能とする開口部開閉部材とが形成されているようにしてもよい。
また、上記の発明において、前記除電器が前記風防の内部から取り外し可能となっているようにしてもよい。
そして、上記の発明において、前記除電器は、電圧発生器と、前記電圧発生器により電圧が印加されることにより、イオンを生成するイオン生成用電極とを備えるようにしてもよい。
さらに、上記の発明において、前記イオン生成用電極は、正イオンと負イオンとを生成するようにしてもよい。
【図面の簡単な説明】
【００１７】
【図１】本発明の一実施形態である電子天秤の一例を示す平面図。
【図２】図１に示す側面図。
【図３】図１に示す電子天秤のブロック図。
【図４】イオナイザの一例を示す平面図。
【図５】イオナイザの一例を示す底面図。
【図６】本発明の他の実施形態である電子天秤の一例を示すブロック図。
【図７】風防を備える電子天秤の一例を示す平面図。
【図８】図７に示す電子天秤の風防の開口部開閉部材を説明する側面図。
【図９】図８同様の側面図。
【発明を実施するための形態】
【００１８】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１９】
＜第一実施形態＞
図１は、本発明の一実施形態である電子天秤の一例を示す平面図であり、図２は、図１に示す側面図である。また、図３は、図１に示す電子天秤のブロック図である。なお、上述した従来の電子天秤２０１と同様のものについては、同じ符号を付している。
電子天秤１は、計量皿４０と秤量機構８０と制御部５０と入力部４１と表示部４２と感度校正用の内蔵分銅（図示せず）とを有する電子天秤本体１０と、気流の影響を防止する風防２０と、時刻を計測するタイマ（時計）４５と、イオナイザ（除電器）６０とを備える。
【００２０】
ここで、図４は、イオナイザ６０の一例を示す平面図であり、図５は、イオナイザ６０の一例を示す底面図である。イオナイザ６０は、直方体状のハウジング７０を有し、ハウジング７０には、高電圧発生器を制御するためのスイッチ７３と吸気口７１と放出口７２とが形成されている。また、ハウジング７０の内部には、図示は省略するが、高電圧発生器と、電圧が印加されることによりイオンを生成するイオン生成用電極と、空気を送風するファンとを備えている。
【００２１】
吸気口７１は、ハウジング７０の上面に配置され、例えば平面視すると３０ｍｍ×３０ｍｍの正方形状の開口であり、開口にはメッシュサイズが１．５ｍｍ角程度の埃除去用のフィルタ（図示せず）が設置されている。また、放出口７２は、ハウジング７０の下面に配置され、例えば平面視すると３０ｍｍ×３０ｍｍの正方形状の開口となっている。
【００２２】
ファンは、空気の流れを作るためのものであり、例えば風量が０．０４ｍ３／分程度である小型ファンが挙げられる。これにより、ファンが回転すると、吸気口７１から放出口７２へ空気の流れが生じることになる。
高電圧発生器は、＋入力リード線と−入力リード線との間に印加された入力電圧を、圧電トランスで昇圧し、交流化して出力する。
【００２３】
イオン生成用電極は、針端を形成し、これを放出口７２に向けた針状電極としてある。これにより、高電圧出力線で交流電圧が印加されることにより、負イオンと正イオンとが交互に生成される。アース用電極についても、針端を形成し、これらを放出口７２に向けてある。なお、イオン生成用電極及びアース用電極とは、吸気口７１と放出口７２との間に配置され、かつ、ファンの下流に配置されているので、ファンからの送風により、放出口７２からイオン含有空気が放出されていくことになる。
【００２４】
このようなイオナイザ６０によれば、測定者はスイッチ７３をＯＮにすることにより、高電圧発生器に入力電圧を印加することで、イオン生成用電極の先端に電界が集中して、先端にコロナ放電を発生する。その結果、イオン生成用電極からイオンが生成する。このようにして生成したイオンを、ファンによって対象物（被測定物等）に吹き付けることで、対象物の静電気を中和して低減させることができる。
【００２５】
風防２０は、ガラス製の四角形の前側壁３０ａと、ガラス、金属又はプラスチック製の四角形の後側壁３０ｂと、前側壁３０ａの四隅と後側壁３０ｂの四隅との間で互いに平行に形成された四本のガイド柱部３０ｃとを有する枠体（側壁）３０と、ガラス製の四角形の上側開口部開閉部材２１と、ガラス製の四角形の右側開口部開閉部材２２と、ガラス製の四角形の左側開口部開閉部材２３とを有する。
後側壁３０ｂの前面中央部には、イオナイザ６０が脱着可能な凹部となる除電器取付部３１が形成されている。これにより、測定者は、イオナイザ６０のハウジング７０の上面を、後側壁３０ｂの前面に向かって差し込むことにより、除電器取付部３１にイオナイザ６０を取り付けることができるようになっている。そして、イオナイザ６０が除電器取付部３１に取り付けられたきには、電子天秤本体１０の制御部５０はスイッチ７３のＯＮ／ＯＦＦを制御できるようになっている。スイッチ７３がＯＮにされると、イオナイザ６０で生成したイオンは、帯電した風防２０等に吸い寄せられることで、風防２０等の静電気を中和して低減させることができる。また、測定者は、イオナイザ６０を除電器取付部３１から引き抜くことにより、除電器取付部３１からイオナイザ６０を取り外すことができるようになっている。
【００２６】
秤量機構８０は、支点８８により揺動可能に支持されたレバー８４と、レバー８４の他端部に固着された電磁力発生装置の可動電磁コイル８７と、ハウジング１０ａに固定された永久磁石８６と、レバー８４の他端部の位置を検出するようにハウジング１０ａに固定された光学的位置センサ８５と、永久磁石８６の温度を検出する温度センサ４４と、レバー８４の温度を検出する温度センサ（図示せず）とを備える。
【００２７】
制御部５０は、ＣＰＵ５１とメモリ４６とを備え、ＣＰＵ５１が処理する機能をブロック化して説明すると、イオナイザ６０のスイッチ７３のＯＮ／ＯＦＦを制御する除電器制御部５１ａと、温度センサ４４で検出された温度変化（内部情報）に基づいて感度校正を行う校正自動実行部５１ｂと、入力部４１で入力された入力信号に基づいて感度校正を行う校正手動実行部５１ｃと、計量を行う計量部５１ｄとを有する。
【００２８】
計量部５１ｄは、光学的位置センサ８５で検出された検出信号に基づいて、レバー８４の他端部の変位を算出して、レバー８４の他端部の変位が０になるように、可動電磁コイル８７に供給する電流の大きさを決定するとともに、レバー８４の他端部の変位が０となる平衡状態において、可動電磁コイル８７に流れる電流の大きさから計量皿４０に載置された被測定物Ｓの荷重を求める制御を行う。
【００２９】
校正自動実行部５１ｂは、温度センサ４４で検出された温度変化に基づいて内蔵分銅を用いて感度校正する制御を行う。具体的には、校正自動実行部５１ｂは、温度センサ４４から温度情報を所定時間間隔で取得していく。そして、温度変化が所定値以上になったと判定したときには、除電器制御部５１ａに除電開始信号を送信する。そして、除電器制御部５１ａから除電終了信号を受信した後、内蔵分銅を用いて感度校正を行い、校正内容をメモリ４６に記憶させる。
【００３０】
校正手動実行部５１ｃは、入力部４１で入力された入力信号に基づいて感度校正する制御を行う。具体的には、校正手動実行部５１ｃは、測定者によって入力部４１で校正実行信号が入力されたと判定したときには、除電器制御部５１ａに除電開始信号を送信する。そして、除電器制御部５１ａから除電終了信号を受信した後、内蔵分銅を用いて感度校正を行い、校正内容をメモリ４６に記憶させる。また、測定者によって入力部４１で校正開始予定時刻信号が入力されたと判定したときには、除電器制御部５１ａに校正開始予定時刻信号を送信する。そして、除電器制御部５１ａから除電終了信号を受信した後、内蔵分銅を用いて感度校正を行い、校正内容をメモリ４６に記憶させる。
【００３１】
除電器制御部５１ａは、イオナイザ６０のスイッチ７３のＯＮ／ＯＦＦを制御する。具体的には、校正自動実行部５１ｂ又は校正手動実行部５１ｃから除電開始信号を受信したときには、イオナイザ６０のスイッチ７３をＯＮにし、所定時間が経過すると、イオナイザ６０のスイッチ７３をＯＦＦにする。そして、校正自動実行部５１ｂ又は校正手動実行部５１ｃに除電終了信号を送信する。また、校正手動実行部５１ｃから校正開始予定時刻信号を受信したときには、校正開始予定時刻の所定時間前にイオナイザ６０のスイッチ７３をＯＮにし、所定時間が経過すると、イオナイザ６０のスイッチ７３をＯＦＦにする。そして、校正手動実行部５１ｃに除電終了信号を送信する。
【００３２】
以上のように、本発明の電子天秤１によれば、感度校正を行う際には風防２０の内部の静電気を低減することができるため、正確で再現性のよい感度校正を行うことができる。このとき、制御部５０によって自動的にイオナイザ６０を作動させることができるため、測定者はイオナイザ６０を操作する手間と時間とを省くことができる。
【００３３】
＜第二実施形態＞
図６は、本発明の他の実施形態である電子天秤の一例を示すブロック図である。なお、上述した電子天秤１と同様のものについては、同じ符号を付している。電子天秤１０１は、計量皿４０と秤量機構８０と制御部１５０と入力部４１と表示部４２とを有する電子天秤本体１１０と、気流の影響を防止する風防２０と、時刻を計測するタイマ（時計）４５と、イオナイザ（除電器）６０とを備える。
【００３４】
制御部１５０は、ＣＰＵ１５１とメモリ４６とを備え、ＣＰＵ１５１が処理する機能をブロック化して説明すると、入力部４１で入力された入力信号に基づいてイオナイザ６０のスイッチ７３のＯＮ／ＯＦＦを制御する除電器制御部１５１ａと、計量を行う計量部５１ｄとを有する。
除電器制御部１５１ａは、入力部４１で入力された入力信号に基づいてイオナイザ６０のスイッチ７３のＯＮ／ＯＦＦを制御する。具体的には、入力部４１から除電開始予定時刻信号（例えば１２時４５分）と除電終了予定時刻信号（例えば１２時５５分）とを受信したときには、除電開始予定時刻（例えば１２時４５分）にイオナイザ６０のスイッチ７３をＯＮにし、除電終了予定時刻（例えば１２時５５分）にイオナイザ６０のスイッチ７３をＯＦＦにする。このとき、イオナイザ６０が作動する時間は、オゾン濃度が高くなると、腐食と環境基準とに適合できなくなるため、上限（例えば１０分）を設けるとよい。
【００３５】
以上のように、本発明の電子天秤１０１によれば、風防２０の内部の静電気を低減することができる。このとき、風防２０の内部に被測定物Ｓを載置してもよい。これにより、休憩時間等に風防２０の内部と被測定物Ｓの除電を行うことができるので、休憩時間終了後（例えば１３時）から計量作業をスムーズに開始することができる。
【００３６】
＜他の実施形態＞
（１）上述した電子天秤１０１において、内蔵分銅を有する構成としたが、内蔵分銅を有さず外部分銅で感度校正を行うような構成としてもよい。
（２）上述した電子天秤１において、１組の除電開始予定時刻信号と除電終了予定時刻信号とが入力される構成としたが、複数組の除電開始予定時刻信号と除電終了予定時刻信号とが入力されるような構成としてもよい。
（３）上記イオン生成用電極は、正イオンと負イオンとが別々の放電電極で生じる（放電針を偶数本備え、各針で＋イオン、−イオンのみを放出する）ＤＣ方式、正イオンと負イオンとを同じ電極から生成する（１本の針から＋、−イオンを放出する）ＡＣ方式のどちらでもよい。
（４）上述した電子天秤１０１において、イオナイザ６０はファンを備える構成としたが、ファンを備えない構成としてもよい。
（５）上述した電子天秤１０１において、感度校正自動実行部５１ｂは、温度センサ４４で検出された温度変化に基づいて感度校正する構成としたが、レバー８４の温度を検出する温度センサで検出された温度変化に基づいて感度校正するような構成としてもよい。
【産業上の利用可能性】
【００３７】
本発明の電子天秤は、例えば風防内部の静電気を低減するために利用される。
【符号の説明】
【００３８】
１  電子天秤
１０  電子天秤本体
２０  風防
２１  上壁、開口部開閉部材
２２、２３  開口部開閉部材
３０  側壁
４０  計量皿
４１  入力部
４２  表示部
５０  制御部
６０  イオナイザ（除電器）
８０  秤量機構
【図１】
2014178133.tif 000003
【図２】
2014178133.tif 000004
【図３】
2014178133.tif 000005
【図４】
2014178133.tif 000006
【図５】
2014178133.tif 000007
【図６】
2014178133.tif 000008
【図７】
2014178133.tif 000009
【図８】
2014178133.tif 000010
【図９】
2014178133.tif 000011